(57)【特許請求の範囲】
【請求項１】
育児器具に載せられる年少者（１００）の頭部を保護するため、前記年少者（１００）を背面側から保護する本体部（２）および前記年少者（１００）の側面側を保護する側壁部（１）から構成される前記育児器具に対して、着脱可能に取り付けられる頭部保護パッドであって、
前記年少者（１００）の両側頭部から頭頂部を取り囲むように設けられ、前記年少者（１００）の両側頭部および頭頂部に加えられる衝撃力を吸収する衝撃吸収層（２０Ａ）と、
前記衝撃吸収層（２０Ａ）の外側に位置し、前記衝撃吸収層（２０Ａ）と前記育児器具との横方向の相対的な位置ずれを阻止するための固定パッド（３０Ａ，３０Ｂ）と、
を備え、
前記固定パッド（３０Ａ，３０Ｂ）は、前記衝撃吸収層（２０Ａ）よりも硬い材質からなり、
前記固定パッド（３０Ａ，３０Ｂ）は、前記側壁部（１）よりも前記年少者（１００）が乗せられる側である前記側壁部（１）の内側に位置し、
前記衝撃吸収層（２０Ａ）の表面のうち前記年少者（１００）が乗せられる側とは反対側である前記衝撃吸収層（２０Ａ）の外側の表面は、前記衝撃吸収層（２０Ａ）の表面のうち前記年少者（１００）が乗せられる側である前記衝撃吸収層（２０Ａ）の内側の表面の形状に沿うように湾曲して形成され、
前記固定パッド（３０Ａ，３０Ｂ）の表面のうち前記年少者（１００）が乗せられる側である前記固定パッド（３０Ａ，３０Ｂ）の内側の表面の形状は、前記衝撃吸収層（２０Ａ）の表面のうち前記年少者（１００）が乗せられる側とは反対側である前記衝撃吸収層（２０Ａ）の外側の表面の形状に沿うように湾曲して形成される、
頭部保護パッド。
【請求項２】
前記固定パッド（３０Ａ，３０Ｂ）は、前記年少者（１００）の両側頭部から頭頂部を取囲むように設けられる、請求項１に記載の頭部保護パッド。
【請求項３】
前記固定パッド（３０Ａ，３０Ｂ）は、前記育児器具の前記側壁部（１）との隙間を埋める形状を有する、請求項１または２に記載の頭部保護パッド。
【請求項４】
前記固定パッド（３０Ａ，３０Ｂ）は、前記育児器具の前記側壁部（１）におけるコーナ部分との隙間を埋める形状を有する、請求項１または２に記載の頭部保護パッド。
【請求項５】
前記固定パッド（３０Ａ，３０Ｂ）の前記本体部（２）からの高さは、前記衝撃吸収層（２０Ａ）の前記本体部（２）からの高さよりも低い、請求項１から４のいずれかに記載の頭部保護パッド。
【請求項６】
前記衝撃吸収層（２０Ａ）の鉛直方向における上部は、前記側壁部（１）の鉛直方向における上部よりも鉛直方向における上方に突出するように設けられる、請求項１から５のいずれかに記載の頭部保護パッド。
【請求項７】
前記衝撃吸収層（２０Ａ）の鉛直方向における上部近傍の領域に、内側に向けて突出する突出領域（２０Ｃ）が設けられる、請求項１から６のいずれかに記載の頭部保護パッド。
【請求項８】
前記衝撃吸収層（２０Ａ）の内側に、柔軟パッド層（１０Ａ）が設けられる、請求項１から７のいずれかに記載の頭部保護パッド。
【請求項９】
前記柔軟パッド層（１０Ａ）は、前記年少者（１００）の両側頭部から頭頂部を取り囲むように設けられる、請求項８に記載の頭部保護パッド。
【請求項１０】
前記柔軟パッド層（１０Ａ）は、水平方向に沿うように寝かされた前記年少者（１００）の鼻位置よりも水平方向における上方の頭部領域を取囲むように設けられる、請求項８に記載の頭部保護パッド。
【請求項１１】
前記衝撃吸収層（２０Ａ）と前記固定パッド（３０Ａ，３０Ｂ）とは、両者が一体となるようにカバーで覆われている、請求項１から１０のいずれかに記載の頭部保護パッド。
【請求項１２】
前記衝撃吸収層（２０Ａ）、前記固定パッド（３０Ａ，３０Ｂ）、および、前記柔軟パッド層（１０Ａ）は、３者が一体となるようにカバーで覆われている、請求項８から１０のいずれかに記載の頭部保護パッド。
【請求項１３】
自動車の座席に固定される前記育児器具としての自動車用年少者安全座席であって、
請求項１から１２のいずれかに記載の頭部保護パッドを備える、自動車用年少者安全座席。
【発明の詳細な説明】
【０００１】
【発明の属する技術分野】
この発明は、新生児期、乳児期および幼児期における赤ちゃんの育児器具に関し、より特定的には、赤ちゃんの生命と脳とを守ることを可能とする育児器具の構造に関する。
【０００２】
【従来の技術】
育児器具にとって最も重要なことは、赤ちゃんに対する安全性能および快適性能が優れていることである。特に、脳の発達が未完成段階の新生児期および乳児期の赤ちゃんにとって、生命と脳とを守ることは大変重要なことである。
【０００３】
赤ちゃんは大人の縮小版と思われがちであるが、生きるためのいろいろな機能が未熟であるため、大人と同様の考え方を適用した場合には、扱いを間違え後々それが後遺症となる場合がある。たとえば、交通事故などによる外的な衝撃が加わった場合、赤ちゃんの頭部は相対的に重くそれを支える首の筋肉も弱いため、体の他の部位よりも衝撃を受けやすい。
【０００４】
また、頭蓋骨、脳血管、頚椎等は、構造的、機能的にまだ十分ではない。たとえば、０歳児、特に出生後６ヵ月頃までの赤ちゃんを立て抱きにした場合、上下に軽くあやすのはよいが、前後左右に強く揺すると、時として脳出血を起こして後遺症が出たり、さらに死亡することさえある。
【０００５】
したがって、たとえばチャイルドシート、ベビーカー、ベビーラック等の育児器具においては、そういった赤ちゃんの生理的な特性を十分に考え、赤ちゃんを本当の意味で守るために、赤ちゃんの生命と脳とを十分に保護できる構造を備えていることが大変重要な機能となる。
【０００６】
【発明が解決しようとする課題】
そこで、本願発明の目的は、赤ちゃんを本当の意味で守ることのできる構造を備えた育児器具に関し、特に、赤ちゃんの生命と脳とを守ることを可能とする頭部保護パッドおよび自動車用年少者安全座席を提供することにある。
【０００７】
【課題を解決するための手段】
すなわち、上記目的を達成するために、この発明に基づいた頭部保護パッドは、育児器具に載せられる年少者の頭部を保護するため、上記年少者を背面側から保護する本体部および上記年少者の側面側を保護する側壁部から構成される上記育児器具に対して、着脱可能に取り付けられる頭部保護パッドであって、上記年少者の両側頭部から頭頂部を取り囲むように設けられ、上記年少者の両側頭部および頭頂部に加えられる衝撃力を吸収する衝撃吸収層と、上記衝撃吸収層の外側に位置し、上記衝撃吸収層と上記育児器具との横方向の相対的な位置ずれを阻止するための固定パッドとを備え、上記固定パッドは、上記衝撃吸収層よりも硬い材質からなり、上記固定パッドは、上記側壁部よりも上記年少者が乗せられる側である上記側壁部の内側に位置し、上記衝撃吸収層の表面のうち上記年少者が乗せられる側とは反対側である上記衝撃吸収層の外側の表面は、上記衝撃吸収層の表面のうち上記年少者が乗せられる側である上記衝撃吸収層の内側の表面の形状に沿うように湾曲して形成され、上記固定パッドの表面のうち上記年少者が乗せられる側である上記固定パッドの内側の表面の形状は、上記衝撃吸収層の表面のうち上記年少者が乗せられる側とは反対側である上記衝撃吸収層の外側の表面の形状に沿うように湾曲して形成される。
【０００８】
好ましくは、上記固定パッドは、上記年少者の両側頭部から頭頂部を取囲むように設けられる。好ましくは、上記固定パッドは、上記育児器具の上記側壁部との隙間を埋める形状を有する。好ましくは、上記固定パッドは、上記育児器具の上記側壁部におけるコーナ部分との隙間を埋める形状を有する。好ましくは、上記固定パッドの上記本体部からの高さは、上記衝撃吸収層の上記本体部からの高さよりも低い。
【０００９】
好ましくは、上記衝撃吸収層の鉛直方向における上部は、上記側壁部の鉛直方向における上部よりも鉛直方向における上方に突出するように設けられる。好ましくは、上記衝撃吸収層の鉛直方向における上部近傍の領域に、内側に向けて突出する突出領域が設けられる。好ましくは、上記衝撃吸収層の内側に、柔軟パッド層が設けられる。好ましくは、上記柔軟パッド層は、上記年少者の両側頭部から頭頂部を取り囲むように設けられる。
【００１０】
好ましくは、上記柔軟パッド層は、水平方向に沿うように寝かされた上記年少者の鼻位置よりも水平方向における上方の頭部領域を取囲むように設けられる。好ましくは、上記衝撃吸収層と上記固定パッドとは、両者が一体となるようにカバーで覆われている。好ましくは、上記衝撃吸収層、上記固定パッド、および、上記柔軟パッド層は、３者が一体となるようにカバーで覆われている。
【００１１】
この発明に基づいた自動車用年少者安全座席は、自動車の座席に固定される上記育児器具としての自動車用年少者安全座席であって、この発明に基づいた上記の頭部保護パッドを備える。
【００１２】
【発明の実施の形態】
以下、赤ちゃんを本当の意味で守ることのできる構造を備えた育児器具の頭部保護構造および頭部保護パッドに関し、特に、赤ちゃんの生命と脳とを守ることを可能とする本願発明に基づいた各育児器具の頭部保護構造および頭部保護パッドについて、図を参照して説明する。なお、実際の育児器具には、赤ちゃんの身体を育児器具に固定するための安全ベルト（２点式、３点式）が設けられるが、本実施の形態においては、発明の本質部分には影響を与えないため、図示は省略する。
【００１３】
（実施の形態１）
図１〜図３を参照して、本実施の形態における育児器具の頭部保護構造および頭部保護パッドについて説明する。なお、図１は育児器具の平面図であり、図２は後述する頭部保護パッド４０Ａの全体斜視図であり、図３は図２中ＩＩＩ−ＩＩＩ線矢視断面図である。
【００１４】
この実施の形態における育児器具は、図１に示すように、赤ちゃん１００を受入れる受入空間６０を備える。この受入空間６０は、赤ちゃん１００を背面側から保護する本体部２と、赤ちゃん１００の側面側を保護する側壁部１とを備える。赤ちゃん１００は、受入空間６０の内部においては、頭部領域は頭部保護パッド４０Ａにより保護され、身体部は、ボディパッド５０により保護されている。
【００１５】
（頭部保護パッド４０Ａ）
頭部保護パッド４０Ａは、図１および図２に示すように、赤ちゃん１００の頭部に直接接触し、赤ちゃん１００の頭頂部を覆い、また、側頭部を両側から挟み込むように設けられる柔軟パッド１０Ａと、柔軟パッド１０Ａの外側において、柔軟パッド１０Ａと同様に赤ちゃん１００の頭頂部を覆い、また、側頭部を両側から挟み込むように設けられる衝撃吸収層としての衝撃吸収パッド２０Ａと、衝撃吸収パッド２０Ａと側壁部１との隙間を埋めるように、外周面が側壁部１の内周面に沿う形状を有し、衝撃吸収パッド２０Ａと本体部２との横方向および縦方向の相対的な位置ずれを阻止するための固定部材としての固定パッド３０Ａが設けられている。柔軟パッド１０Ａおよび衝撃吸収パッド２０Ａにはそれぞれ、赤ちゃん１００の後頭部を保護するための後頭部パッド１０Ｂ，２０Ｂが設けられている。
【００１６】
柔軟パッド１０Ａは、赤ちゃん１００の頭部に直接接触する物であるため、材質としては、スポンジ状部材、綿等、その他柔らかい感触を与えるものが好ましい。また、衝撃吸収パッド２０Ａは、育児器具の揺れにより、外部から赤ちゃん１００の頭部に加わる衝撃を吸収する目的から、衝撃吸収用ウレタン、発泡材等、その他衝撃吸収効果を有する部材を用いることが好ましい。また、固定パッド３０Ａは、衝撃吸収パッド２０Ａを設けた場合でも、赤ちゃん１００の頭部揺れ、特に左右の揺れを防止させる目的から、比較的硬い材質である発泡スチロール等、衝撃吸収効果を有するものの外力による体積変化の少ない部材を用いることが好ましい。なお、衝撃吸収パッド２０Ａと固定パッド３０Ａとは、いずれも同じ部材で構成することも可能である。
【００１７】
また、柔軟パッド１０Ａ、衝撃吸収パッド２０Ａ、および、固定パッド３０Ａの相互間のずれを防止するために、相互に結合部材を設けることが好ましい。また、固定パッド３０Ａと育児器具との相対的な位置ずれを防止するために、相互に結合部材を設けることが好ましい。
【００１８】
（作用・効果）
このように、固定パッド３０Ａの形状として、外周面が側壁部１の内周面に沿う形状とし、内周面を赤ちゃん１００の頭部に沿う形状とし、さらに、内周面に、衝撃吸収パッド２０Ａおよび柔軟パッド１０Ａを設ける構造を採用することにより、育児器具に横方向および縦方向の外力が加わった場合でも、赤ちゃん１００の頭部は衝撃吸収パッド２０Ａおよび柔軟パッド１０Ａに取囲まれているために、衝撃が加わることがない。
【００１９】
また、衝撃吸収パッド２０Ａおよび柔軟パッド１０Ａは、固定パッド３０Ａにより横方向および縦方向に振れることがなく、また、斜め方向から外力が加わった場合でも、固定パッド３０Ａの外周面が側壁部１の内周面に沿う形状を有していることから、固定パッド３０Ａが移動することがない。これにより、衝撃吸収パッド２０Ａおよび柔軟パッド１０Ａが横振れすることなく、赤ちゃん１００の頭部はリバウンドすることがない。その結果、赤ちゃん１００の頭部をしっかりと保護することが可能となり、頭蓋骨、脳血管、頚椎等に損傷を与えることなく、赤ちゃんの生命と脳とを保護することが可能になる。
【００２０】
また、図３の断面構造に示すように、固定パッド３０Ａの本体部２からの高さが、衝撃吸収パッド２０Ａの本体部２からの高さよりも低くなるように設けることにより（高さの差Ｈ）、固定パッド３０Ａから与えられる圧迫感が解消され、また、美的にもスマートな印象を与えることが可能になる。
【００２１】
また、図４の断面構造に示すように、衝撃吸収パッド２０Ａの上部近傍の領域に、内側に向けて突出する突出領域２０Ｃを設ける。具体的には、衝撃吸収パッド２０Ａの上部近傍の領域の厚さが、他の領域の側壁部の厚さよりも厚くなるように設ける。このように、突出領域２０Ｃを設けることにより、年少者の頭部領域に受入れ空間から上方に向けて飛出そうとする外力が加わった場合においても、年少者の頭部領域は、突出領域２０Ｃに当接することになり、年少者の頭部領域の飛出しをより確実に防止することが可能になる。
【００２２】
なお、年少者の頭部領域を保持する空間を確保するとともに、頭部領域の飛出しをより確実に防止する観点から、図４に示すように、衝撃吸収パッド２０Ａの上部は、育児器具の側壁部１の上部よりも上方に突出する（距離Ｈ１）ように設けられていることが好ましい。これは、育児器具として、チャイルドシート、ベビーカー等に適用した場合には、特に、座席状態として使用する場合には、年少者の体型は大きくなるため頭部保護パッド４０Ａは使用されないため、年少者の視界を確保する観点から側壁部１の高さは低い方が好ましいが、ベッド状態として使用する場合には、頭部保護パッド４０Ａを使用する新生児、乳幼児が対象となるため、年少者の視界を確保する必要性が低くいため、衝撃吸収パッド２０Ａの高さは、側壁部１の高さよりも高い方が、安全性の観点から好ましいからである。
【００２３】
なお、柔軟パッド１０、衝撃吸収パッド２０Ａ、および、固定パッド３０Ａを、それぞれを結合した一体構造や、同一カバーで覆うようにした一体構造を採用しても良いが、赤ちゃんが成長した場合には、柔軟パッド１０Ａを取外すことができるように、柔軟パッド１０Ａを着脱可能に設ける構造を採用することも可能である。また、柔軟パッド１０、衝撃吸収パッド２０Ａ、および、固定パッド３０Ａのそれそれを相互に着脱可能とする分割構造を採用することも可能である。
【００２４】
また、本実施の形態においては、衝撃吸収パッド２０Ａ、および、固定パッド３０Ａを、赤ちゃん１００の頭頂部および側頭部を覆うよう形態としているが、赤ちゃん１００の頭部の横振れのみが問題となる場合には、衝撃吸収パッド２０Ａ、および、固定パッド３０Ａを赤ちゃん１００の側頭部を挟み込むように設けることも可能である。
【００２５】
なお、柔軟パッド１０が、図１に示すように赤ちゃん１００の頭部から肩部にかけて設けられている場合、赤ちゃん１００が横を向いた場合、鼻および口に柔軟パッド１０が当接し、赤ちゃん１００が呼吸に際して不快感を感じるおそれがある。このような場合には、図５に示すように、柔軟パッド１０の下方部が、赤ちゃん１００の鼻の位置よりも上方の頭部領域を取囲むように設けることで、赤ちゃん１００が横を向いた場合の不快感を解消することが可能になる。
【００２６】
（実施の形態２）
次に、図６〜図８を参照して、実施の形態２における育児器具の頭部保護構造および頭部保護パッドについて説明する。基本的構造については、上述した実施の形態１と同じ構造を有しているため、相違点のみを説明する。なお、図６は育児器具の平面図であり、図７は後述する頭部保護パッド４０Ｂの全体斜視図であり、図８は図７中ＶＩＩＩ−ＶＩＩＩ線矢視断面図である。
【００２７】
この実施の形態における育児器具の頭部保護構造および頭部保護パッドは、固定パッド３０Ｂの形状を、固定パッド３０Ａの外周面が側壁部１の内周面に沿う形状ではなく、柔軟パッド１０Ａおよび衝撃吸収パッド２０Ａと同様に赤ちゃん１００の頭頂部および側頭部を覆うように設け、固定パッド３０Ｂを本体部２に固定できるようにしたものである。
【００２８】
上記実施の形態１においては、柔軟パッド１０Ａおよび衝撃吸収パッド２０Ａの横振れを防止するために、固定パッド３０Ａの外周面が側壁部１の内周面に沿う形状としていたが、固定パッド３０Ｂを本体部２に固定する構造を採用することによっても、柔軟パッド１０Ａおよび衝撃吸収パッド２０Ａの横振れを防止することができる。具体的には、固定パッド３０Ｂの下面に相互に着脱可能な固定ベルト３１，３２を設け、この固定ベルト３１，３２を本体部２に設けられた固定用孔（図示省略）に挿通して、固定ベルト３１，３２を相互に連結する。なお、固定パッド３０Ｂを本体部２に固定する構造としては、他に公知のあらゆる技術を適用することができる。
【００２９】
また、固定ベルト３１，３２を設ける位置については、頭部保護パッド４０Ｂの中央領域に１ヶ所（図６に示す状態）だけでなく、頭部保護パッド４０Ｂの回転を防止する観点からは、頭部保護パッド４０Ｂの左右領域にそれぞれ１ヶ所（合計２箇所）設けるようにしても構わない。また、固定ベルト３１，３２を育児器具に取付ける場合、既存の肩ベルト穴を用いる場合に限らず、本体部に専用の取付け孔を設けることも可能である。
【００３０】
（作用・効果）
このように、固定パッド３０Ｂを本体部２に固定する構造を採用することによっても、上記実施の形態１と同様の作用効果を得ることができる。
【００３１】
また、図８の断面構造に示すように、固定パッド３０Ｂの本体部２からの高さが、衝撃吸収パッド２０Ａの本体部２からの高さよりも低くなるように設けることにより（高さの差Ｈ）、上記実施の形態１と同様に、固定パッド３０Ｂから与えられる圧迫感が解消され、また、美的にもスマートな印象を与えることが可能になる。また、衝撃吸収パッド２０Ａの上部領域の形状、および育児器具の側壁部１に対する、衝撃吸収パッド２０Ａの高さ位置についても、図４で説明した、上記実施の形態１と同様の構造を採用することが可能である。また、柔軟パッド１０の下方部の位置についても、図５で説明した、上記実施の形態１と同様の構造を採用することが可能である。
【００３２】
さらに、上記実施の形態１と同様に、柔軟パッド１０、衝撃吸収パッド２０Ａ、および、固定パッド３０Ｂを、それぞれを結合した一体構造や、同一カバーで覆うようにした一体構造を採用しても良いが、赤ちゃんが成長した場合には、柔軟パッド１０Ａを取外すことができるように、柔軟パッド１０Ａを着脱可能に設ける構造を採用することも可能である。また、柔軟パッド１０、衝撃吸収パッド２０Ａ、および、固定パッド３０Ｂのそれそれを相互に着脱可能とする分割構造を採用することも可能である。
【００３３】
また、本実施の形態においては、衝撃吸収パッド２０Ａ、および、固定パッド３０Ｂを、赤ちゃん１００の頭頂部および側頭部を覆うよう形態としているが、赤ちゃん１００の頭部の横振れのみが問題となる場合には、衝撃吸収パッド２０Ａ、および、固定パッド３０Ｂを赤ちゃん１００の側頭部を挟み込むように設けることも可能である。
【００３４】
（実施の形態３）
次に、図９および図１０を参照して、実施の形態３における育児器具の頭部保護構造および頭部保護パッドの構造について説明する。基本的構造については、上述した実施の形態１および２と同じ構造を有しているため、相違点のみを説明する。なお、図９は後述する頭部保護パッド４０Ｃの斜視図であり、図１０は頭部保護パッド４０Ｃの平面図である。
【００３５】
この実施の形態における頭部保護パッド４０Ｃは、育児器具との隙間がコーナ部にのみ生じる場合に、固定パッド３０Ｃを育児器具のコーナ部に生じる隙間のみを埋める形状としたものである。
【００３６】
（作用・効果）
上記固定パッド３０Ｃの形状からなる頭部保護パッド４０Ｃを用いた場合においても、上記実施の形態１および２と同様の作用効果を得ることができる。
【００３７】
なお、上記実施の形態１および２と同様に、柔軟パッド１０Ａ、衝撃吸収パッド２０Ａ、および、固定パッド３０Ｃを、それぞれを結合した一体構造や、同一カバーで覆うようにした一体構造を採用しても良いが、赤ちゃんが成長した場合には、柔軟パッド１０Ａを取外すことができるように、柔軟パッド１０Ａを着脱可能に設ける構造を採用することも可能である。また、柔軟パッド１０Ａ、衝撃吸収パッド２０Ａ、および、固定パッド３０Ｃのそれそれを相互に着脱可能とする分割構造を採用することも可能である。
【００３８】
（実施の形態４）
次に、図１１および図１２を参照して、実施の形態４における育児器具の頭部保護構造および頭部保護パッドの構造について説明する。基本的構造については、上述した実施の形態１から３と同じ構造を有しているため、相違点のみを説明する。なお、図１１は後述する頭部保護パッド４０Ｄの斜視図であり、図１２は頭部保護パッド４０Ｄの平面図である。
【００３９】
この実施の形態における頭部保護パッド４０Ｄは、赤ちゃんの側頭部が、育児器具に設けられる側頭部保護部材により十分保護される場合に用いられるものであり、赤ちゃんの頭頂部を保護するようにしたものである。衝撃吸収パッド２０Ａが赤ちゃんの頭頂部を保護するように、赤ちゃんの頭頂部側に配置され、また、育児器具との隙間を埋めるための固定パッド３０Ｄが、育児器具のコーナ部に生じる隙間のみを埋める形状としている。
【００４０】
（作用・効果）
上記形状からなる頭部保護パッド４０Ｄを用いた場合においては、育児器具に縦方向の外力が加わった場合でも、赤ちゃん１００の頭頂部には柔軟パッド１０Ａおよび衝撃吸収パッド２０Ａが設けられているため、衝撃が加わることがない。また、衝撃吸収パッド２０Ａおよび柔軟パッド１０Ａは、固定パッド３０Ｄにより横方向および縦方向に振れることがなく、また、斜め方向から外力が加わった場合でも、固定パッド３０Ｄにより頭部保護パッド４０Ｄが移動することがない。これにより、衝撃吸収パッド２０Ａおよび柔軟パッド１０Ａが横振れおよび縦振れすることなく、赤ちゃん１００の頭部はリバウンドすることがない。その結果、赤ちゃん１００の頭部をしっかりと保護することが可能となり、頭蓋骨、脳血管、頚椎等に損傷を与えることなく、赤ちゃんの生命と脳とを保護することが可能になる。
【００４１】
なお、上記実施の形態１から３同様に、柔軟パッド１０Ａ、衝撃吸収パッド２０Ａ、および、固定パッド３０Ｄを、それぞれを結合した一体構造や、同一カバーで覆うようにした一体構造を採用しても良いが、赤ちゃんが成長した場合には、柔軟パッド１０Ａを取外すことができるように、柔軟パッド１０Ａを着脱可能に設ける構造を採用することも可能である。また、柔軟パッド１０Ａ、衝撃吸収パッド２０Ａ、および、固定パッド３０Ｄのそれそれを相互に着脱可能とする分割構造を採用することも可能である。
【００４２】
（実施の形態５）
次に、図１３および図１４を参照して、実施の形態５における育児器具の頭部保護構造および頭部保護パッドの構造について説明する。基本的構造については、上述した実施の形態１から４と同じ構造を有しているため、相違点のみを説明する。なお、図１３は後述する頭部保護パッド４０Ｅの斜視図であり、図１４は図１３中ＸＩＶ−ＸＩＶ線矢視断面図である。
【００４３】
上述した各実施の形態における頭部保護パッドに設けられる固定パッドは、育児器具に加わる衝撃力が比較的大きな場合に適したものであり、たとえば育児器具として自動車に用いられるチャイルドシートを想定したものである。しかし、屋内で用いられるベビーラック等の場合には、チャイルドシートほどの衝撃力は加わらないと考えられる。このような場合には、固定パッドとして、図１３および図１４に示すように、内部が空洞の固定パッド３０Ｅを用いることが可能である。この固定パッド３０Ｅは、実施の形態１の場合と同様の外形形状を有している。
【００４４】
（作用・効果）
上記形状からなる頭部保護パッド４０Ｅを用いた場合においても、実施の形態１と同様の作用効果を得ることができる。なお、図１３および図１４には、柔軟パッド１０Ａは図示していないが、上記各実施の形態の場合と同様に、柔軟パッド１０Ａを用いることも可能である。また、柔軟パッド１０Ａ、衝撃吸収パッド２０Ａ、および、固定パッド３０Ｅを、それぞれを結合した一体構造や、同一カバーで覆うようにした一体構造を採用しても良いが、赤ちゃんが成長した場合には、柔軟パッド１０Ａを取外すことができるように、柔軟パッド１０Ａを着脱可能に設ける構造を採用することも可能である。また、柔軟パッド１０Ａ、衝撃吸収パッド２０Ａ、および、固定パッド３０Ｅのそれそれを相互に着脱可能とする分割構造を採用することも可能である。
【００４５】
なお、上記各実施の形態において、赤ちゃんの身長方向の成長に応じて、育児器具に対する頭部保護パッドの取付け位置を変更させる機構の採用が可能であり、また、頭部保護パッド自体に、赤ちゃんの身長方向に対して伸縮自在な構造を適用することも可能である。
【００４６】
なお、上記各実施の形態においては、育児器具がベッド状態の形態を有し、赤ちゃんを寝かした状態で説明しているが、育児器具が座席状態の形態をであっても同様の作用効果を得ることができる。
【００４７】
また、上記各実施の形態の育児器具としては、チャイルドシート、ベビーカー、ベビーラック等にも適用することが可能である。
【００４８】
（実施の形態６）
次に、図１５〜図１８を参照して、実施の形態６における育児器具について説明する。この実施の形態における育児器具は、育児器具の一例として自動車用年少者安全座席であるチャイルドシートに、頭部保護構造を適用したものである。なお、図１５はチャイルドシート２００の第１の使用状態を示す全体図であり、図１６は図１５中ＸＶＩ−ＸＶＩ線矢視断面図であり、図１７および図１８はチャイルドシート２００の第２および第３の使用状態を示す全体図である。
【００４９】
図１５を参照して、このチャイルドシート２００は、ベース部２０１とこのベース部２０１に対して、回転可能に支持される座席部２０２とを有している。座席部２０２は、座部２０２ａと背もたれ部２０２ｂとを有し、背もたれ部２０２ｂは、座部２０２ａに対してリクライニング可能に設けられている。図に示す状態は、背もたれ部２０２ｂが最も倒された状態を示しており、チャイルドシート２００全体としてベッド形態を呈している。なお、背もたれ部２０２ｂが最も起こされた状態においては、チャイルドシート２００全体として座席形態を呈する（図示省略）。
【００５０】
座席部２０２の背もたれ部２０２ｂ側には、赤ちゃんの頭部領域を衝撃から守るために、上記実施の形態１で説明した頭部保護パッド４０Ａが設けられ、さらに、この頭部保護パッド４０Ａの内側に、赤ちゃんの頭頂部を覆い、また、側頭部を両側から挟み込むように設けられ、赤ちゃんの頭部に直接接触する柔軟パッド５０Ａがさらに設けられている。この柔軟パッド５０Ａを含む頭部保護パッド４０Ａは、上記実施の形態１の場合と同様に、赤ちゃんの頭頂部を覆い、また、側頭部を両側から挟み込むように設けられる柔軟パッド１０Ａと、柔軟パッド１０Ａの外側において、柔軟パッド１０Ａと同様に赤ちゃんの頭頂部を覆い、また、側頭部を両側から挟み込むように設けられる衝撃吸収層としての衝撃吸収パッド２０Ａと、衝撃吸収パッド２０Ａと背もたれ部２０２ｂとの隙間を埋めるように、外周面が背もたれ部２０２ｂの内周面に沿う形状を有し、衝撃吸収パッド２０Ａと背もたれ部２０２ｂとの横方向および縦方向の相対的な位置ずれを阻止するための固定部材としての固定パッド３０Ａが設けられている。その他基本的構造は、上述した頭部保護パッド４０Ａと同じである。
【００５１】
本実施の形態においては、図１６に示すように、ベース部２０１の底面と自動車の座席との間の位置ずれを防止するために位置ずれ阻止手段としての位置ずれ阻止部材２１０がベース部２０１の底面を覆うように設けられている。
【００５２】
この位置ずれ阻止部材２１０は、ベース部２０１の底面の全面を覆う平面部２１０ａと、ベース部２０１の外周を取囲むように平面部２１０ａから上方に立ち上がる側面部２１０ｂとを備える。平面部２１０ａは芯材２１０ｃの表面が被覆材２１０ｄに覆われ、この被覆材２１０ｄにより側面部２１０ｂが形成されている。芯材２１０ｃには、クッション性を有する発泡材が選択され、例えばＡＥポリエチレンが用いられる。被覆材２１０ｄには、ポリエステルと塩化ビニル樹脂とからなるノンスリップ素材が用いられる。被覆材２１０ｄには、ベース部２０１の底面を構成する部材と自動車の座席との間の摩擦係数よりも、位置ずれ阻止部材２１０と自動車の座席との間の摩擦係数が大きくなるような特性が要求される。
【００５３】
（作用・効果）
このように、本実施の形態におけるチャイルドシート２００によれば、チャイルドシート２００に横方向および縦方向の外力が加わった場合でも、赤ちゃんの頭部は頭部保護パッド４０Ａに取囲まれているために、衝撃が加わることがない。また、自動車の座席に対するチャイルドシート２００の位置ずれを阻止するための位置ずれ阻止部材２１０を設けることにより、チャイルドシート２００自身の移動による赤ちゃんの頭部への衝撃も同時に回避することが可能になる。
【００５４】
これにより、チャイルドシート２００内において頭部保護パッド４０Ａが移動することがないため、頭部保護パッド４０Ａが横振れすることなく、赤ちゃんの頭部はリバウンドすることがない。その結果、赤ちゃんの頭部をしっかりと保護することが可能となり、頭蓋骨、脳血管、頚椎等に損傷を与えることなく、赤ちゃんの生命と脳とを保護することが可能になる。
【００５５】
なお、赤ちゃんの成長に応じて頭部保護パッド４０Ａの柔軟パッド５０Ａを取り外して、図１７に示す形態を採用してり、さらに、柔軟パッド１０Ａを取り外して、図１８に示す形態を採用することも可能である。また、衝撃吸収パッド２０Ａおよび固定パッド３０Ａも、チャイルドシート２００に対して着脱可能に設けておくことが可能である。また、衝撃吸収パッド２０Ａおよび固定パッド３０Ａが一体となるように形成しておくことも可能である。
【００５６】
また、上記実施の形態２〜５に示した頭部保護パッドを本実施の形態における位置ずれ阻止部材２１０を備えるチャイルドシート２００に適用しても同様の作用効果を得ることが可能である。
【００５７】
また、上記各実施の形態における各パッドに、通気性を向上させる観点から、複数の貫通孔を設ける構造、頭部側のパッドの表面に、上下方向・縦方向に延びる溝部を設ける構造を採用することも可能である。
【００５８】
なお、年少者が成長し、チャイルドシート２００を常時座席状態で使用する場合には、頭部保護パッド４０Ａは不要になるが、位置ずれ阻止部材２１０はそのまま使用し続けることができ、成長した年少者がチャイルドシート２００を使用した場合でも、チャイルドシート２００の不要な移動が排除されることにより、年少者の頭部を保護することが可能になる。
【００５９】
以上、今回開示された各実施の形態はすべての点で例示であって制限的なものではない。本発明の範囲は上記した説明ではなくて特許請求の範囲によって画定され、特許請求の範囲と均等の意味および範囲内でのすべての変更が含まれることが意図される。
【００６０】
この発明に基づいた育児器具によれば、固定部材が育児器具に対して移動することがないため、衝撃吸収層および柔軟パッドが横振れおよび縦振れすることなく、赤ちゃんの頭部はリバウンドすることがない。その結果、赤ちゃんの頭部をしっかりと保護することが可能となり、頭蓋骨、脳血管、頚椎等に損傷を与えることなく、赤ちゃんの生命と脳とを保護することが可能になる。よって、チャイルドシート、ベビーカー、ベビーラック等の育児器具全般に利用することが可能である。
【図面の簡単な説明】
【図１】  実施の形態１における育児器具の平面図である。
【図２】  実施の形態１における頭部保護パッド４０Ａの全体斜視図である。
【図３】  図２中ＩＩＩ−ＩＩＩ線矢視断面図である。
【図４】  図２中ＩＩＩ−ＩＩＩ線矢視断面図に対応した他の形態の断面構造図である。
【図５】  実施の形態１における他の形態の育児器具の平面図である。
【図６】  実施の形態２における育児器具の平面図である。
【図７】  実施の形態２における頭部保護パッド４０Ｂの全体斜視図である。
【図８】  図７中ＶＩＩＩ−ＶＩＩＩ線矢視断面図である。
【図９】  実施の形態３における頭部保護パッド４０Ｃの斜視図である。
【図１０】  実施の形態３における頭部保護パッド４０Ｃの平面図である。
【図１１】  実施の形態４における頭部保護パッド４０Ｄの斜視図である。
【図１２】  実施の形態４における頭部保護パッド４０Ｄの平面図である。
【図１３】  実施の形態５における頭部保護パッド４０Ｅの斜視図である。
【図１４】  図１３中ＸＩＶ−ＸＩＶ線矢視断面図である。
【図１５】  実施の形態６におけるチャイルドシート２００の第１の使用状態を示す全体図である。
【図１６】  図１５中ＸＶＩ−ＸＶＩ線矢視断面図である。
【図１７】  実施の形態６におけるチャイルドシート２００の第２の使用状態を示す全体図である。
【図１８】  実施の形態６におけるチャイルドシート２００の第３の使用状態を示す全体図である。
【符号の説明】
１  側壁部、２  本体部、１０，１０Ａ，５０Ａ  柔軟パッド、１０Ｂ，２０Ｂ  後頭部パッド、２０Ａ  衝撃吸収パッド、２０Ｃ  突出領域、３０Ａ，３０Ｂ，３０Ｃ，３０Ｄ，３０Ｅ  固定パッド、３１，３２  固定ベルト、４０Ａ，４０Ｂ，４０Ｃ，４０Ｄ，４０Ｅ  頭部保護パッド、５０  ボディパッド、６０  受入空間、１００  赤ちゃん、２００  チャイルドシート、２０１  ベース部、２０２  座席部、２０２ａ  座部、２０２ｂ  背もたれ部、２１０  位置ずれ阻止部材、２１０ａ  平面部、２１０ｂ  側面部、２１０ｃ  芯材、２１０ｄ  被覆材、Ｈ  差、Ｈ１  距離。
【図１】
0004817591.tif 000002
【図２】
0004817591.tif 000003
【図３】
0004817591.tif 000004
【図４】
0004817591.tif 000005
【図５】
0004817591.tif 000006
【図６】
0004817591.tif 000007
【図７】
0004817591.tif 000008
【図８】
0004817591.tif 000009
【図９】
0004817591.tif 000010
【図１０】
0004817591.tif 000011
【図１１】
0004817591.tif 000012
【図１２】
0004817591.tif 000013
【図１３】
0004817591.tif 000014
【図１４】
0004817591.tif 000015
【図１５】
0004817591.tif 000016
【図１６】
0004817591.tif 000017
【図１７】
0004817591.tif 000018
【図１８】
0004817591.tif 000019